(57)【要約】      （修正有）【課題】紙料原料の洗浄効果を高めた紙料洗浄装置及び紙料洗浄方法を提供。【解決手段】長手方向が水平となるように取り付けられた側面に開口部を有する円筒１と、円筒１を回転させる円筒回転手段２と、円筒１の一方の開口端部１Ａから円筒１の内部に紙料原料を供給する原料供給部材３と、円筒１の内部に位置して、円筒１の内部に水を供給する水供給部材４と、円筒１の他方の開口端部１Ｂら排出される前記紙料原料を外方へ案内する紙料原料案内部材６と、円筒１の下方に位置して、円筒７から排出される水を外方へ案内する水案内部材７と、円筒１の内壁に設け、円筒１の内壁の前記紙料原料を円筒１の一方の開口端部１Ａから円筒１の他方の開口端部１Ｂに送る螺旋状の送り羽根８と、円筒１の内壁に設け、円筒１の内壁の前記紙料原料を円筒１の他方の開口端部１Ｂから円筒１の一方の開口端部１Ａに戻す戻し羽根９を備える紙料洗浄装置Ｓ。【選択図】図２
2019002105.tif 000002
【特許請求の範囲】
【請求項１】
長手方向が水平となるように取り付けられた側面に開口部を有する円筒と、
この円筒を回転させる円筒回転手段と、
前記円筒の一方の開口端部から前記円筒の内部に紙料原料を供給する原料供給部材と、
前記円筒の内部に位置して、前記円筒の内部に水を供給する水供給部材と、
前記円筒の他方の開口端部から排出される前記紙料原料を外方へ案内する紙料原料案内部材と、
前記円筒の下方に位置して、前記円筒から排出される水を外方へ案内する水案内部材と、
前記円筒の内壁に設けられ、前記円筒の内壁の前記紙料原料を前記円筒の一方の開口端部から前記円筒の他方の開口端部に送る螺旋状の送り羽根と、
前記円筒の内壁に設けられ、前記円筒の内壁の前記紙料原料を前記円筒の他方の開口端部から前記円筒の一方の開口端部に戻す戻し羽根とを備え、
前記水供給部材は、水を案内するパイプと、このパイプの側面に設けられた複数の開口部を有し、前記開口部は、円筒の長手方向の全体に亘って設けられている
ことを特徴とする紙料洗浄装置。
【請求項２】
円筒の一方の開口端部から前記円筒の他方の開口端部に至る前記円筒の中途に螺旋状の送り羽根及び戻し羽根を形成しない羽根なしゾーンを前記円筒の内壁に少なくとも１個形成し、
前記円筒の一方の開口端部に前記螺旋状の送り羽根が、前記円筒の他方の開口端部に前記螺旋状の送り羽根が、それぞれ臨むように配置されている
ことを特徴とする請求項１記載の紙料洗浄装置。
【請求項３】
側面に開口部を有する円筒を回転させると共に、前記円筒内に製紙原料と水を供給して、前記製紙原料を洗浄する紙料洗浄方法であって、
前記水は、前記円筒の長手方向の全体に亘って設けられ、
前記円筒の内壁に設けられた螺旋状の送り羽根で前記円筒の前記紙料原料を前記円筒の一方の開口端部から前記円筒の他方の開口端部に送ると共に、前記円筒の内壁に設けられた戻し羽根で前記円筒の前記紙料原料を前記円筒の他方の開口端部から前記円筒の一方の開口端部に戻し、
前記円筒の一方の開口端部に前記螺旋状の送り羽根が、前記円筒の他方の開口端部に前記螺旋状の送り羽根が、それぞれ臨むように配置して、
前記円筒内に前記紙料原料を滞留させて、前記紙料原料を洗浄し、洗浄した前記紙料原料を前記円筒の他方の開口端部から排出する
ことを特徴とする紙料洗浄方法。
【請求項４】
側面に開口部を有する円筒を回転させると共に、前記円筒内に製紙原料と水を供給して、前記製紙原料を洗浄する紙料洗浄方法であって、
前記水は、前記円筒の長手方向の全体に亘って設けられ、
前記円筒の内壁に設けられた螺旋状の送り羽根で前記円筒の前記紙料原料を前記円筒の一方の開口端部から前記円筒の他方の開口端部に送ると共に、前記円筒の内壁に設けられた戻し羽根で前記円筒の前記紙料原料を前記円筒の他方の開口端部から前記円筒の一方の開口端部に戻し、
前記円筒の一方の開口端部から前記円筒の他方の開口端部に至る前記円筒の中途に前記螺旋状の送り羽根及び前記戻し羽根を形成しない羽根なしゾーンを前記円筒の内壁に少なくとも１個形成し、
前記円筒の一方の開口端部に前記螺旋状の送り羽根が、前記円筒の他方の開口端部に前記螺旋状の送り羽根が、それぞれ臨むように配置して、
前記円筒内に前記紙料原料を滞留させて、前記紙料原料を洗浄し、洗浄した前記紙料原料を前記円筒の他方の開口端部から排出する
ことを特徴とする紙料洗浄方法。
【発明の詳細な説明】
【技術分野】
【０００１】
本発明は、紙料洗浄装置及び紙料洗浄方法に係り、特に、紙料原料の洗浄効果を高めた紙料洗浄装置及び紙料洗浄方法に関する。
【背景技術】
【０００２】
従来、紙料原料（例えば、製紙原料の懸濁液）から未離解繊維、非繊維物質（例えば、異物）を分離して紙料原料を洗浄する紙料洗浄装置がある（特許文献参照）。
この紙料洗浄装置は、長手方向が水平となるように取り付けられた側面に開口部を有する円筒の途中に直径を前記円筒の直径より大きくした貯水部を設けている。
【先行技術文献】
【特許文献】
【０００３】
【特許文献１】特公平１−４０１５５号公報
【発明の概要】
【発明が解決しようとする課題】
【０００４】
この紙料洗浄装置にあって、貯水部を設け、該貯水部に溜まった紙料原料を汲出し羽根で紙料原料の下流側へ汲み出させ、それなりの効果は有するものの、貯水部から離れ、紙料原料の下流側へ行くにつれ、水が少なく分離効果が良好でなく、貯水部に水を多く含んだ紙料原料の重さにより円筒を回転させる動力をもを多く要するという問題点が生じた。
【０００５】
本発明は、上記問題点を考慮してなされたもので、挟持状態を強固にした紙料洗浄装置及び紙料洗浄方法を提供することを目的とする。
【課題を解決するための手段】
【０００６】
請求項１記載の紙料洗浄装置は、長手方向が水平となるように取り付けられた側面に開口部を有する円筒と、この円筒を回転させる円筒回転手段と、前記円筒の一方の開口端部から前記円筒の内部に紙料原料を供給する原料供給部材と、前記円筒の内部に位置して、前記円筒の内部に水を供給する水供給部材と、前記円筒の他方の開口端部から排出される前記紙料原料を外方へ案内する紙料原料案内部材と、前記円筒の下方に位置して、前記円筒から排出される水を外方へ案内する水案内部材と、前記円筒の内壁に設けられ、前記円筒の内壁の前記紙料原料を前記円筒の一方の開口端部から前記円筒の他方の開口端部に送る螺旋状の送り羽根と、前記円筒の内壁に設けられ、前記円筒の内壁の前記紙料原料を前記円筒の他方の開口端部から前記円筒の一方の開口端部に戻す戻し羽根とを備え、前記水供給部材は、水を案内するパイプと、このパイプの側面に設けられた複数の開口部を有し、前記開口部は、円筒の長手方向の全体に亘って設けられているものである。
【０００７】
また、請求項２記載の紙料洗浄装置は、請求項１記載の紙料洗浄装置において、円筒の一方の開口端部から前記円筒の他方の開口端部に至る前記円筒の中途に螺旋状の送り羽根及び戻し羽根を形成しない羽根なしゾーンを前記円筒の内壁に少なくとも１個形成し、前記円筒の一方の開口端部に前記螺旋状の送り羽根が、前記円筒の他方の開口端部に前記螺旋状の送り羽根が、それぞれ臨むように配置されているものである。
【０００８】
また、請求項３記載の紙料洗浄方法は、側面に開口部を有する円筒を回転させると共に、前記円筒内に製紙原料と水を供給して、前記製紙原料を洗浄する紙料洗浄方法であって、前記水は、前記円筒の長手方向の全体に亘って設けられ、前記円筒の内壁に設けられた螺旋状の送り羽根で前記円筒の前記紙料原料を前記円筒の一方の開口端部から前記円筒の他方の開口端部に送ると共に、前記円筒の内壁に設けられた戻し羽根で前記円筒の前記紙料原料を前記円筒の他方の開口端部から前記円筒の一方の開口端部に戻し、前記円筒の一方の開口端部に前記螺旋状の送り羽根が、前記円筒の他方の開口端部に前記螺旋状の送り羽根が、それぞれ臨むように配置して、前記円筒内に前記紙料原料を滞留させて、前記紙料原料を洗浄し、洗浄した前記紙料原料を前記円筒の他方の開口端部から排出するものである。
【０００９】
また、請求項４記載の紙料洗浄方法は、側面に開口部を有する円筒を回転させると共に、前記円筒内に製紙原料と水を供給して、前記製紙原料を洗浄する紙料洗浄方法であって、前記水は、前記円筒の長手方向の全体に亘って設けられ、前記円筒の内壁に設けられた螺旋状の送り羽根で前記円筒の前記紙料原料を前記円筒の一方の開口端部から前記円筒の他方の開口端部に送ると共に、前記円筒の内壁に設けられた戻し羽根で前記円筒の前記紙料原料を前記円筒の他方の開口端部から前記円筒の一方の開口端部に戻し、前記円筒の一方の開口端部から前記円筒の他方の開口端部に至る前記円筒の中途に前記螺旋状の送り羽根及び前記戻し羽根を形成しない羽根なしゾーンを前記円筒の内壁に少なくとも１個形成し、前記円筒の一方の開口端部に前記螺旋状の送り羽根が、前記円筒の他方の開口端部に前記螺旋状の送り羽根が、それぞれ臨むように配置して、前記円筒内に前記紙料原料を滞留させて、前記紙料原料を洗浄し、洗浄した前記紙料原料を前記円筒の他方の開口端部から排出するものである。
【発明の効果】
【００１０】
請求項１記載の紙料洗浄装置  によれば、水供給部材は、水を案内するパイプと、このパイプの側面に設けられた複数の開口部を有し、前記開口部は、円筒の長手方向の全体に亘って設けられているため、従来のような、貯水部から離れ、紙料原料の下流側へ行くにつれ、水が少なくことが防止され、分離効果が良好で、しかも、貯水部に水を多く含んだ紙料原料の重さにより円筒を回転させる動力に多く要することも防止され、更に、戻し羽根が設けられているため、円筒内への紙料原料の滞留時間が長くなり、紙料原料の洗浄効果を高めることができる等の効果を有する。
【００１１】
また、請求項２記載の紙料洗浄装置によれば、水供給部材は、水を案内するパイプと、このパイプの側面に設けられた複数の開口部を有し、前記開口部は、円筒の長手方向の全体に亘って設けられているため、従来のような、貯水部から離れ、紙料原料の下流側へ行くにつれ、水が少なくことが防止され、分離効果が良好で、しかも、貯水部に水を多く含んだ紙料原料の重さにより円筒を回転させる動力に多く要することが防止され、更に、戻し羽根９が設けられているため、円筒１内への紙料原料の滞留時間が長くなり、紙料原料の洗浄効果を高め、加えて、羽根なしゾーンを円筒の内壁に少なくとも１個形成しているため、円筒内への紙料原料の滞留時間が更に長くなり、紙料原料の洗浄効果をより高めることができる等の効果を有する。
【００１２】
また、請求項３記載の紙料洗浄方法によれば、水供給部材は、水を案内するパイプと、このパイプの側面に設けられた複数の開口部を有し、前記開口部は、円筒の長手方向の全体に亘って設けられているため、従来のような、貯水部から離れ、紙料原料の下流側へ行くにつれ、水が少なくことが防止され、分離効果が良好で、しかも、貯水部に水を多く含んだ紙料原料の重さにより円筒を回転させる動力に多く要することも防止され、更に、戻し羽根が設けられているため、円筒内への紙料原料の滞留時間が長くなり、紙料原料の洗浄効果を高めることができる等の効果を有する。
【００１３】
また、請求項４記載の紙料洗浄方法によれば、水供給部材は、水を案内するパイプと、このパイプの側面に設けられた複数の開口部を有し、前記開口部は、円筒の長手方向の全体に亘って設けられているため、従来のような、貯水部から離れ、紙料原料の下流側へ行くにつれ、水が少なくことが防止され、分離効果が良好で、しかも、貯水部に水を多く含んだ紙料原料の重さにより円筒を回転させる動力に多く要することが防止され、更に、戻し羽根９が設けられているため、円筒１内への紙料原料の滞留時間が長くなり、紙料原料の洗浄効果を高め、加えて、羽根なしゾーンを円筒の内壁に少なくとも１個形成しているため、円筒内への紙料原料の滞留時間が更に長くなり、紙料原料の洗浄効果をより高めることができる等の効果を有する。
【図面の簡単な説明】
【００１４】
【図１】図１は、本発明の一実施例の紙料洗浄装置の概略的側断面図である。
【図２】図２は、図１の概略的正面横断断面図である。
【発明を実施するための形態】
【００１５】
本発明の一実施例の紙料洗浄装置及び紙料洗浄方法を図面（図１及び図２）を参照して説明する。
図１に示すＳは、紙料原料（例えば、製紙原料の懸濁液）から未離解繊維、非繊維物質（例えば、異物）を分離して紙料原料を洗浄する紙料洗浄装置である。
【００１６】
図１に示す１は、長手方向が水平となるように取り付けられた側面に開口部を有する円筒で、円筒１の側面に設けられた開口部は、例えば、直径６mmの孔である。
この円筒１は、円筒回転手段２により回転するようになっている。
円筒回転手段２は、例えば、図１及び図２に示すように、円筒１を支持する二つのベルト（例えば、Ｖベルト）２１、２１、ベルト２１、２１がかかる溝を有したプーリー２２、２２、プーリー２２、２２に回転を伝達する回転軸２３、回転軸２３を支持する支持部材２４、２４、２４、回転軸２３の駆動源であるモーター２５、モーター２５の回転軸と回転軸２３とを接続するカップリング２６を有して、モーター２５の回転をカップリング２６、回転軸２３、プーリー２２、２２、ベルト２１、２１を介して円筒１を回転するようにしている。
【００１７】
図２に示す３は、円筒１の一方の開口端部１Ａから円筒１の内部に紙料原料を供給する原料供給部材である。
また、４は、円筒１の内部に位置して、円筒１の内部に水を供給する水供給部材で、水供給部材４は、水を案内するパイプ４１と、このパイプ４１の側面に設けられた複数の開口部４２を有し、開口部４２は、図２に示すように、円筒１の長手方向の全体に亘って設けられている。
図１に示す５は、円筒１の外部に位置して、円筒１の外表面に水を供給する外方水供給部材で、外方水供給部材５は、水を案内するパイプ５１と、このパイプ５１の側面に設けられた複数の開口部（図示せず）を有し、開口部（図示せず）は、水供給部材４と同様に、円筒１の長手方向の全体に亘って設けられている。
【００１８】
図２に示す６は、円筒１の他方の開口端部１Ｂから排出される紙料原料を外方へ案内する紙料原料案内部材で、７は、円筒１の下方に位置して、円筒１から排出される水を外方へ案内する水案内部材である。
また、図２に示す８は、円筒１の内壁に設けられた螺旋状の送り羽根で、螺旋状の送り羽根８は、円筒１の内壁の紙料原料を円筒１の一方の開口端部１Ａから円筒１の他方の開口端部１Ｂに送るように作用するものである。
９は、円筒１の内壁に設けられた戻し羽根で、戻し羽根９は、円筒１の内壁の紙料原料を円筒１の他方の開口端部１Ｂから円筒１の一方の開口端部１Ａに戻すように作用するものである。
【００１９】
図２に示すように、円筒１の一方の開口端部１Ａから円筒１の他方の開口端部１Ｂに至る円筒１の中途に螺旋状の送り羽根８及び戻し羽根９を形成しない羽根なしゾーンＺを円筒１の内壁に少なくとも１個（本実施例では、２個）形成している。
そして、円筒１の一方の開口端部１Ａに螺旋状の送り羽根８が、円筒１」の他方の開口端部１Ｂに螺旋状の送り羽根８が、それぞれ臨むように配置されている。
【００２０】
従って、上述した紙料洗浄装置Ｓによれば、水供給部材４は、水を案内するパイプ４１と、このパイプ４１の側面に設けられた複数の開口部４２を有し、開口部４２は、円筒１の長手方向の全体に亘って設けられているため、従来のような、貯水部から離れ、紙料原料の下流側へ行くにつれ、水が少なくことが防止され、分離効果が良好で、しかも、貯水部に水を多く含んだ紙料原料の重さにより円筒１を回転させる動力に多く要することが防止され、更に、戻し羽根９が設けられているため、円筒１内への紙料原料の滞留時間が長くなり、紙料原料の洗浄効果を高め、加えて、羽根なしゾーンＺを円筒１の内壁に少なくとも１個形成しているため、円筒１内への紙料原料の滞留時間が更に長くなり、紙料原料の洗浄効果をより高めることができる等の効果を有する。
また、上述したことは、側面に開口部を有する円筒１を回転させると共に、円筒１内に製紙原料と水を供給して、前記製紙原料を洗浄する紙料洗浄方法であって、前記水は、円筒１の長手方向の全体に亘って設けられ、円筒１の内壁に設けられた螺旋状の送り羽根８で円筒１の前記紙料原料を円筒１の一方の開口端部１Ａから円筒１の他方の開口端部１Ｂに送ると共に、円筒１の内壁に設けられた戻し羽根９で円筒１の前記紙料原料を円筒１の他方の開口端部１Ｂから円筒１の一方の開口端部１Ａに戻し、円筒の１一方の開口端部１Ａら円筒１の他方の開口端部１Ｂに至る円筒１の中途に螺旋状の送り羽根８及び戻し羽根９を形成しない羽根なしゾーンＺを円筒１の内壁に少なくとも１個（本実施例では、２個）形成し、円筒１の一方の開口端部１Ａに螺旋状の送り羽根８が、円筒１の他方の開口端部１Ｂに螺旋状の送り羽根８が、それぞれ臨むように配置して、円筒１内に前記紙料原料を滞留させて、前記紙料原料を洗浄し、洗浄した前記紙料原料を円筒１の他方の開口端部１Ｂから排出するようにしている。
【００２１】
上述した実施例にあっては、羽根なしゾーンＺを円筒１の内壁に少なくとも１個形成しているが、場合により、羽根なしゾーンＺを省略しても良い。
かかる場合の紙料洗浄装置Ｓにあっては、長手方向が水平となるように取り付けられた側面に開口部を有する円筒１と、この円筒１を回転させる円筒回転手段２と、円筒１の一方の開口端部１Ａから円筒１の内部に紙料原料を供給する原料供給部材３と、円筒１の内部に位置して、円筒１の内部に水を供給する水供給部材４と、円筒１の他方の開口端部１Ｂから排出される前記紙料原料を外方へ案内する紙料原料案内部材６と、円筒１の下方に位置して、円筒１から排出される水を外方へ案内する水案内部材７と、円筒１の内壁に設けられ、円筒１の内壁の前記紙料原料を円筒１の一方の開口端部１Ａから円筒１の他方の開口端部１Ｂに送る螺旋状の送り羽根８と、円筒１の内壁に設けられ、円筒１の内壁の前記紙料原料を円筒１の他方の開口端部１Ｂから円筒１の一方の開口端部１Ａに戻す戻し羽根９とを備え、水供給部材４は、水を案内するパイプ４１と、このパイプ４１の側面に設けられた複数の開口部４２を有し、開口部４２は、円筒１の長手方向の全体に亘って設けられているものである。
羽根なしゾーンＺを省略した紙料洗浄装置Ｓによれば、水供給部材４は、水を案内するパイプ４１と、このパイプ４１の側面に設けられた複数の開口部４２を有し、開口部４２は、円筒１の長手方向の全体に亘って設けられているため、従来のような、貯水部から離れ、紙料原料の下流側へ行くにつれ、水が少なくことが防止され、分離効果が良好で、しかも、貯水部に水を多く含んだ紙料原料の重さにより円筒１を回転させる動力に多く要することも防止され、更に、戻し羽根９が設けられているため、円筒１内への紙料原料の滞留時間が長くなり、紙料原料の洗浄効果を高めることができる等の効果を有する。
また、上述したことは、側面に開口部を有する円筒１を回転させると共に、円筒１内に製紙原料と水を供給して、前記製紙原料を洗浄する紙料洗浄方法であって、前記水は、円筒１の長手方向の全体に亘って設けられ、円筒１の内壁に設けられた螺旋状の送り羽根８で円筒１の前記紙料原料を円筒１の一方の開口端部１Ａから円筒１の他方の開口端部１Ｂに送ると共に、円筒１の内壁に設けられた戻し羽根９で円筒１の前記紙料原料を円筒１の他方の開口端部１Ｂから円筒１の一方の開口端部１Ａに戻し、円筒１の一方の開口端部１Ａに螺旋状の送り羽根８が、円筒１の他方の開口端部１Ｂに螺旋状の送り羽根８が、それぞれ臨むように配置して、円筒１内に前記紙料原料を滞留させて、前記紙料原料を洗浄し、洗浄した前記紙料原料を円筒１の他方の開口端部１Ｂから排出するようにしている。
【符号の説明】
【００２２】
Ｓ      紙料洗浄装置
１      円筒
１Ａ    一方の開口端部
１Ｂ    他方の開口端部
２      円筒回転手段
３      原料供給部材
４      水供給部材
４１    パイプ
４２    開口部
６      紙料原料案内部材
７      水案内部材７
８      螺旋状の送り羽根
９      戻し羽根
【図１】
2019002105.tif 000003
【図２】
2019002105.tif 000004